(57)【要約】【課題】簡単な構成でオンライントレースに対応可能な無線基地局を提供する。【解決手段】無線信号を送受信する無線部１−１と、無線基地局１の動作に関するオンライントレース情報を生成するオンライントレース制御部１−４と、を有する無線基地局１において、無線部１−１は、無線通信端末４との間で無線信号を送受信することによって音声及び／又はデータによる通信をすると共に、前記オンライントレース情報を収集するオンライントレース端末２との間で無線信号を送受信する。【選択図】  図１
2005020406.tif 000002
【特許請求の範囲】
【請求項１】
無線信号を送受信する無線部と、無線通信装置の動作に関するオンライントレース情報を生成するオンライントレース制御部と、を有する無線通信装置において、
前記無線部は、無線通信端末との間で無線信号を送受信することによって音声及び／又はデータによる通信をすると共に、前記オンライントレース情報を収集するオンライントレース端末との間で無線信号を送受信することを特徴とする無線通信装置。
【請求項２】
前記無線部は、前記オンライントレース端末との通信を、前記無線通信端末との間の通信と同一の周波数帯及び同一の変調方式で行うことを特徴とする請求項１に記載の無線通信装置。
【請求項３】
無線通信装置が受信した信号を、無線通信装置の各部に転送するデータ入出力制御部と、
前記オンライントレース端末を認証すると、前記オンライントレース制御部を起動する認証制御部と、を有し、
前記データ入出力制御部は、前記オンライントレース端末から送信された信号を網側に送ることなく、前記オンライントレース制御部に送ることを特徴とする請求項１又は２に記載の無線通信装置。
【請求項４】
前記オンライントレース端末に対して送信される信号をＴＣＰ／ＩＰ形式にカプセル化するＴＣＰ／ＩＰパケット生成手段を備えることを特徴とする請求項１から３のいずれか一つに記載の無線通信装置。
【発明の詳細な説明】
【０００１】
【発明が属する技術分野】
本発明は、無線通信装置に関し、特に、無線によってオンライントレース端末を接続可能な無線通信装置に関する。
【０００２】
【従来の技術】
無線基地局の動作中、障害が発生した場合に、該無線基地局の動作に関するデータを収集するオンライントレース端末は、従来は、無線基地局にケーブルを接続するものや、無線基地局にオンライントレース端末接続用の無線モデムを設け、該無線モデムを用いて無線通信によって接続するものが提案されている（例えば、特許文献１参照。）。
【０００３】
【特許文献１】
特開平９−８３４３１号公報
【０００４】
【発明が解決しようとする課題】
しかし、前述した従来のオンライントレース方式では、無線基地局の設置場所によっては無線基地局の保守時にケーブルの接続が困難となる問題があった。また、特許文献１に記載の方式では、オンライントレース端末接続専用の無線モデムと必要となるため無線基地局の構成が複雑になり、コストが増大し、大きさが大きくなる問題があった。
【０００５】
本発明は、有線ケーブルによる接続が困難な場所に設置される場合でも、オンライントレース専用の無線モデムを設ける必要がない、構成を簡素化することができる無線基地局を提供することを目的とする。
【０００６】
【課題を解決するための手段】
第１の発明は、無線信号を送受信する無線部と、無線通信装置の動作に関するオンライントレース情報を生成するオンライントレース制御部と、を有する無線通信装置において、前記無線部は、無線通信端末との間で無線信号を送受信することによって音声及び／又はデータによる通信をすると共に、前記オンライントレース情報を収集するオンライントレース端末との間で無線信号を送受信することを特徴とする。
【０００７】
第２の発明は、第１の発明において、前記無線部は、前記オンライントレース端末との通信を、前記無線通信端末との間の通信と同一の周波数帯及び同一の変調方式で行うことを特徴とする。
【０００８】
第３の発明は、第１又は第２の発明において、無線通信装置が受信した信号を、無線通信装置の各部に転送するデータ入出力制御部と、前記オンライントレース端末を認証すると、前記オンライントレース制御部を起動する認証制御部と、を有し、前記データ入出力制御部は、前記オンライントレース端末から送信された信号を網側に送ることなく、前記オンライントレース制御部に送ることを特徴とする。
【０００９】
第４の発明は、第１から第３の発明において、前記オンライントレース端末に対して送信される信号をＴＣＰ／ＩＰ形式にカプセル化するＴＣＰ／ＩＰパケット生成手段を備えることを特徴とする。
【００１０】
【発明の実施の形態】
次に、本発明の実施の形態について図面を参照して説明する。
【００１１】
図１は、本発明の実施の形態の無線基地局とオンライントレース端末とで構成される無線通信システムのシステム構成図である。
【００１２】
無線基地局１には、公衆電話回線（ＰＳＴＮ）又は専用線等によって構成される回線網３が接続されている。無線基地局１は、無線通信端末４との間に無線通信回線を設定して、音声やデータによる無線通信をする。無線基地局１は、無線通信端末４を回線網３に接続する。
【００１３】
また、無線基地局１には、無線基地局１の動作をトレースするためのオンライントレース端末２が接続される。この無線基地局１とオンライントレース端末２との間は、無線基地局１と無線通信端末４との間の通信に用いられる無線通信回線によって接続される。すなわち、オンライントレース端末２に対する通信は、無線通信端末４に対する通信と同一の周波数帯及び同一の変調方式で行われる。無線基地局１とオンライントレース端末２と間のデータの送受信は、無線基地局１及びオンライントレース端末２のそれぞれが、無線通信回線にＴＣＰ／ＩＰパケットを送出することによって行われる。
【００１４】
図２は、本発明の実施の形態の無線基地局１及びオンライントレース端末２の構成を示すブロック図である。
【００１５】
無線基地局１には、無線制御部１−１、認証部１−２、データ入出力制御部１−３、オンライントレース制御部１−４、トレースデータ部１−５及び回線制御部１−６が設けられている。
【００１６】
無線制御部１−１は、無線通信端末４やオンライントレース端末２と無線基地局１との間の無線通信をするための送受信部（無線部）、及び、該送受信部を制御する制御部を備える。
【００１７】
認証部１−２は、オンライントレース端末２の正当性を判定する判定部と、該判定のためのデータを保持する記憶部を備え、無線基地局１に対して接続要求をしたオンライントレース端末２が正当なものであるか否かの認証をする。なお、認証部１−２において、オンライントレース端末だけでなく、無線通信端末４を認証するように構成してもよい。
【００１８】
データ入出力制御部１−３は、無線基地局１に接続される端末によって（すなわち、無線基地局１に接続される端末が音声及び／又はデータの通信をする無線通信端末４であるか、オンライントレース端末２であるかによって）、無線制御部１−１が受信した信号を、回線制御部１−６又はオンライントレース制御部１−４に振り分けるように制御する。なお、データ入出力制御部１−３が、無線制御部１−１が受信した信号の形式によって、該受信信号を回線制御部１−６又はオンライントレース制御部１−４に振り分けるように制御してもよい。すなわち、無線制御部１−１が受信した信号のヘッダを解析し、該受信信号がＴＣＰ／ＩＰ形式のデータであれば、オンライントレース制御部１−４に送るようにする。
【００１９】
また、データ入出力制御部１−３は、オンライントレース制御部１−４が取得したトレースデータをＴＣＰ／ＩＰパケットにカプセル化して、オンライントレース端末２に送信可能なデータを生成する。このようにデータ入出力制御部１−３は、ＴＣＰ／ＩＰパケット生成手段として機能する。
【００２０】
オンライントレース制御部１−４は、オンライントレース端末２からＴＣＰ／ＩＰパケットとして送信されたトレース要求を解析し、該トレース要求に対応するトレースデータをトレースデータ部１−５から取得する。
【００２１】
トレースデータ部１−５は、無線基地局１の状態を診断し、トレースデータを生成し、保存する。すなわち、無線基地局１内で実行されるプログラムの実行状況を監視して、エラーの発生等をトレースデータとして記憶する。
【００２２】
回線制御部１−６は、無線基地局１に接続される網回線（例えば、公衆電話回線（ＰＳＴＮ）や、専用線等）に対する信号の送受信を制御するインターフェースとして機能する。
【００２３】
オンライントレース端末２には、無線制御部２−１、入力制御部２−２、データ入出力制御部２−３、画面制御部２−４及びデータ解析制御部２−５が設けられている。
【００２４】
無線制御部２−１は、無線基地局１と無線通信をするための送受信部、及び、該送受信部を制御する制御部を備える。入力制御部２−２は、制御のための各種データを入力するための入力部（キーボード）、及び、該入力部を制御する制御部を備える。データ入出力制御部２−３は、無線制御部２−１及びデータ解析制御部２−５との間のデータの入出力を制御する。画面制御部２−４は、トレースデータ等を表示する表示画面、及び、該表示画面を制御する制御部を備える。データ解析制御部２−５は、無線基地局１に対するトレース要求を制御し、無線基地局１からのトレースデータを解析する。
【００２５】
図３は、本発明の実施の形態のオンライントレース端末２による無線基地局１に対するオンライントレースのシーケンス図である。
【００２６】
まず、オンライントレース端末よりトレースデータを収集する場合、オンライントレース端末２に対してキー操作をすることによって、トレース要求を入力する。入力制御部２−２が該入力を認識すると、データ解析制御部２−５に対してトレース要求を送る。
【００２７】
データ解析制御部２−５は、トレース要求を受け取ると、無線通信回線が設定され、オンライントレース端末２が無線基地局１に接続されているか否かを判定する。そして、無線接続がされていなければオンライントレース端末２に固有に付与された識別情報（ＩＤ番号）を含む認証要求信号を生成し、該認証要求信号を無線制御部２−１に送る。無線制御部２−１は、無線基地局１に対し認証を要求するために、無線通信回線に認証要求信号を送信する。
【００２８】
無線基地局１は、無線制御部１−１にて、無線通信回線から認証要求信号を受信する。無線制御部１−１は、認証要求信号を受信すると、該認証要求信号を認証部１−２に送る。
【００２９】
認証部１−２では認証要求信号を解析して、認証要求信号に含まれる識別情報を抽出して、その認証要求が一般無線通信端末４からの認証要求であるのか、オンライントレース端末２からの認証要求であるのかを判定する。そして、オンライントレース端末２から送られてきた識別情報が正しく認識できた場合には、無線制御部１−１に対し認証結果を送り、認証要求をしたオンライントレース端末２に該認証結果を送るように指示する。無線制御部１−１は、認証結果を無線通信回線に送出する。また、オンライントレース端末２からの認証要求であると判定した場合は、以後にオンライントレース端末２から送信されるＴＣＰ／ＩＰパケットデータをオンライントレース制御部１−４へ送るように、データ入出力制御部１−３にデータ転送指示をする。
【００３０】
オンライントレース端末２の無線制御部２−１は、無線通信回線を介して受信した認証結果をデータ解析制御部２−５に送る。データ解析制御部２−５は認証結果を受信したことにより、無線基地局１への無線通信回線を介した接続が許可されたことを認識する。そして、トレース要求を生成してデータ入出力制御部２−３へ送る。
【００３１】
データ入出力制御部は２−３は、データ入出力制御部２−３で生成されたトレース要求を、ＴＣＰ／ＩＰパケットにカプセル化して、ＴＣＰ／ＩＰパケットデータを生成する。そして、ＴＣＰ／ＩＰパケットデータを無線制御部２−１へ送り、無線通信回線への送信を指示する。無線制御部２−１は、トレース要求を含むＴＣＰ／ＩＰパケットデータを無線通信回線に送出し、無線基地局１へトレース要求を送信する。
【００３２】
無線基地局１の無線制御部１−１はトレース要求のＴＣＰ／ＩＰパケットデータを受信すると、そのデータをデータ入出力制御部１−３へ送る。
【００３３】
データ入出力制御部１−３は、受信したトレース要求のＴＣＰ／ＩＰパケットデータがオンライントレース端末２から送信されたことを、ＴＣＰ／ＩＰパケットヘッダから知ることができ、トレース要求のＴＣＰ／ＩＰパケットデータのデータ部（すなわち、トレース要求）を抽出して、オンライントレース制御部１−４へ送る。
【００３４】
オンライントレース制御部１−４は、トレース要求を解析し、その内容に適合したトレースデータをトレースデータ部１−５から取得して、トレース結果としてデータ入出力制御部１−３へ送る。
【００３５】
データ入出力制御部１−３は、トレース結果をＴＣＰ／ＩＰパケットにカプセル化して、ＴＣＰ／ＩＰパケットデータを作成する。そして、ＴＣＰ／ＩＰパケットデータを無線制御部へ送り、無線通信回線に対する送出を指示する。
【００３６】
無線制御部１−１は、トレース要求を含むＴＣＰ／ＩＰパケットデータを無線通信回線に送出し、オンライントレース端末２に対してトレース結果を通知する。
【００３７】
オンライントレース端末２の無線制御部２−１は、トレース結果を含むＴＣＰ／ＩＰパケットデータを受信すると、そのＴＣＰ／ＩＰパケットデータをデータ入出力制御部２−３へ送る。
【００３８】
データ入出力制御部２−３は、無線基地局１から受信したトレース結果のＴＣＰ／ＩＰパケットデータからデータ部（すなわち、トレース結果）を抽出して、データ解析制御部２−５へ送る。
【００３９】
データ解析制御部２−５は、画面制御部２−４にトレース結果を送る。画面制御部２−４は、トレース結果のデータを画面に表示する。
【００４０】
次に、本発明の実施の形態の無線基地局１の各部の処理についてフローチャートを用いて説明する。
【００４１】
図４は、本発明の実施の形態の無線基地局１の認証部１−２の動作を示すフローチャートである。
【００４２】
認証部１−２は、無線基地局１宛に送信された認証要求を受信する（Ｓ１０１）。そして、受信した認証要求を解析し、認証要求信号に含まれるオンライントレース端末２に固有に付与された識別情報を抽出して、一般の無線通信端末４からの認証要求であるのか、オンライントレース端末２からの認証要求であるのかを判定する（Ｓ１０２）。その後、認証結果を無線制御部１−１へ通知する（Ｓ１０３）。
【００４３】
そして、オンライントレース端末からの認証要求である場合、データ入出力制御部１−３に、受信したＴＣＰ／ＩＰパケットデータをオンライントレース制御部１−４へ転送するよう指示する（Ｓ１０５）。一方、一般の無線通信端末４からの認証要求である場合は、受信した信号（ＴＣＰ／ＩＰパケットデータを含む）を回線制御部１−６へ転送するよう指示する（Ｓ１０６）。
【００４４】
図５は、本発明の実施の形態の無線基地局１のデータ入出力制御部１−３の動作を示すフローチャートである。
【００４５】
まず、データ入出力制御部１−３には、無線制御部１−１が受信したＴＣＰ／ＩＰパケットデータが転送される（Ｓ１１１）。そして、認証部からの指示に基づいて、受信信号をオンライントレース制御部１−４へ転送するのか、回線制御部１−６へ転送するかのを判定する（Ｓ１１２）。すなわち、前述したオンライントレース端末の認証に基づく転送指示（図４のＳ１０５）が有効であれば、ＴＣＰ／ＩＰパケットヘッダからオンライントレース端末２から送信されたＴＣＰ／ＩＰパケットデータであることを知ることができる。
【００４６】
その結果、受信信号をオンライントレース制御部１−４へ転送すると判定された場合には、ＴＣＰ／ＩＰパケットデータからデータ部（トレース要求）を抽出する（Ｓ１１３）。そして、抽出されたデータ（トレース要求）をオンライントレース制御部１−４へ送る（Ｓ１１４）。
【００４７】
一方、受信信号を回線制御部１−６へ転送すると判定された場合には、受信信号を回線網制御部１−６へ送る（Ｓ１１５）。
【００４８】
図６は、本発明の実施の形態の無線基地局１のオンライントレース制御部１−４の動作を示すフローチャートである。
【００４９】
オンライントレース制御部１−４は、データ入出力制御部１−３からＴＣＰ／ＩＰパケットデータから抽出されたトレース要求を受信する（Ｓ１２１）。次に、トレース要求データの要求内容を解析する（Ｓ１２２）。
【００５０】
そして、その要求内容に一致したトレース結果をトレースデータ部１−５から取得する（Ｓ１２３）。その後、データ入出力制御部１−３へトレース結果データを送る（Ｓ１２４）。このデータ入出力制御部１−３へ送られたトレース結果データはＴＣＰ／ＩＰパケットデータにカプセル化され、オンライントレース端末１へ送信される。
【００５１】
【発明の効果】
本発明では、オンライントレース専用の無線モデムを用いることなく、一般の無線通信端末が通信に使用する通常の無線通信回線を使用してオンライントレース端末と接続して、一般の無線通信端末との間の通信と同一の周波数帯及び同一の変調方式によって通信をしてオンライントレースをすることによって、有線ケーブルの接続に伴う設置場所の制約がなくなり、オンライントレース専用の無線モデムを設けることによる無線基地局の構成を簡素化することができ、コストの増大や、大きさの増大を抑制することができる。
【００５２】
また、本発明では、無線基地局とオンライントレース端末との間でＴＣＰ／ＩＰパケットデータによってオンライントレースに関する情報（トレース要求及びトレースデータ）を送受信する、すなわち、オンライントレース端末は、一般の無線通信端末と同様にＴＣＰ／ＩＰパケットデータにてトレース要求を送出し、無線基地局はトレース結果をＴＣＰ／ＩＰパケットデータにて送出するので、無線基地局の特別な機能を最小限に抑えることができる。
【図面の簡単な説明】
【図１】本発明の実施の形態の無線基地局とオンライントレース端末とで構成される無線通信システムの構成図である。
【図２】本発明の実施の形態の無線基地局及びオンライントレース端末の構成を示すブロック図である。
【図３】本発明の実施の形態のオンライントレース端末による無線基地局のオンライントレースのシーケンス図である。
【図４】本発明の実施の形態の無線基地局の認証部のフローチャートである。
【図５】本発明の実施の形態の無線基地局のデータ入出力制御部のフローチャートである。
【図６】本発明の実施の形態の無線基地局のオンライントレース制御部のフローチャートである。
【符号の説明】
１      無線基地局
２      オンライントレース端末
３      回線網
４      無線通信端末
１−１  無線制御部
１−２  認証部
１−３  データ入出力制御部
１−４  オンライントレース制御部
１−５  トレースデータ部
１−６  回線制御部
２−１  無線制御部
２−２  入力制御部
２−３  データ入出力制御部
２−４  画面制御部
２−５  データ解析制御部
【図１】
2005020406.tif 000003
【図２】
2005020406.tif 000004
【図３】
2005020406.tif 000005
【図４】
2005020406.tif 000006
【図５】
2005020406.tif 000007
【図６】
2005020406.tif 000008